(57)【要約】      （修正有）【課題】左右の床躯体が不等沈下しても目地プレートがガタ付いたり、左右の床面の高さと異なる高さとなって危険になったりするのを効率よく阻止して、安全に使用することができる床用目地装置を提供する。【解決手段】目地部２を介して設けられた左右の床躯体３の、目地部側の左右の床躯体の両方あるいは一方に目地プレート８を左右方向にスライド移動可能に支持する目地プレートスライド支持凹部６を備える床用目地装置１において、前記目地プレートスライド支持凹部の目地プレートと当接する面を目地部側よりも反目地部側が順次高くなる傾斜面５に形成された床用目地装置を構成している。【選択図】図２
2011017185.tif 000002
【特許請求の範囲】
【請求項１】
目地部を介して設けられた左右の床躯体の、目地部側の左右の床躯体の両方あるいは一方に目地プレートを左右方向にスライド移動可能に支持する目地プレートスライド支持凹部を備える床用目地装置において、前記目地プレートスライド支持凹部の目地プレートと当接する面を目地部側よりも反目地部側が順次高くなる傾斜面に形成されていることを特徴とする床用目地装置。
【請求項２】
目地プレートスライド支持凹部の底面は目地部側の底面よりも反目地部側の底面が順次高くなる傾斜面のガイド部材で覆われていることを特徴とする請求項１記載の床用目地装置。
【発明の詳細な説明】
【技術分野】
【０００１】
本発明は目地部を介して設けられた左右の床躯体間を覆う床用目地装置に関する。
【背景技術】
【０００２】
従来、この種の床用目地装置は一方の床躯体の目地部側に反目地部が傾斜面の目地プレートスライド支持凹部を形成するとともに、この目地プレートスライド支持凹部と対応する部位の他方の床躯体の目地部側部位に目地プレート支持凹部を形成し、先端部を前記目地プレートスライド支持凹部に支持させ、後端部を前記目地プレート支持凹部に支持させ、先端部が上方へ回動できるように後端部を目地プレート支持凹部に取付けた目地プレートを用いている。
【０００３】
このように構成された床用目地装置は目地部が広くなったり、狭くなったりする地震の揺れ動きは効率よく吸収することができるが、左右の床躯体が不等沈下した場合、目地プレートスライド支持凹部の目地部側端部が目地プレートの中央部寄りの底面と接触して、目地プレートがガタ付き、危険になるという欠点があるとともに、左右の床面と目地プレートとの高さが異なり、危険で、安全に使用することができないという欠点があった。
【先行技術文献】
【特許文献】
【０００４】
【特許文献１】特許第３８５４８７２号
【発明の概要】
【発明が解決しようとする課題】
【０００５】
本発明は以上のような従来の欠点に鑑み、左右の床躯体が不等沈下しても目地プレートがガタ付いたり、左右の床面の高さと異なる高さとなって危険になったりするのを効率よく阻止して、安全に使用することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の、目地部側の左右の床躯体の両方あるいは一方に目地プレートを左右方向にスライド移動可能に支持する目地プレートスライド支持凹部を備える床用目地装置において、前記目地プレートスライド支持凹部の目地プレートと当接する面を目地部側よりも反目地部側が順次高くなる傾斜面に形成された床用目地装置を構成している。
【発明の効果】
【０００９】
以上の説明から明らかなように、本発明にあっては次に列挙する効果が得られる。
（１）目地部を介して設けられた左右の床躯体の、目地部側の左右の床躯体の両方あるいは一方に目地プレートを左右方向にスライド移動可能に支持する目地プレートスライド支持凹部を備える床用目地装置において、前記目地プレートスライド支持凹部の目地プレートと当接する面を目地部側よりも反目地部側が順次高くなる傾斜面にしたので、左右の床躯体が地震等で不等沈下しても、目地プレートスライド支持凹部の目地部側端部に目地プレートが当接するのを効率よく阻止することができる。
【００１０】
したがって、左右の床面と目地プレートの上面とがほぼ同一面に保つことができるとともに、従来のように目地プレートの中央部が支点となって、ガタ付いたりするのを確実に防止することができる。
（２）前記（１）によって、目地プレートスライド支持凹部を目地部側が順次低くなるような傾斜面にすればよいので、構造が簡単で、容易に設置することができる。
（３）請求項２も前記（１）、（２）と同様な効果が得られるとともに、ガイド部材を設置するだけでよいので設置作業を短時間で、容易に行なうことができる。
【図面の簡単な説明】
【００１１】
【図１】本発明を実施するための第１の形態の平面図。
【図２】図１の２−２線に沿う断面図。
【図３】本発明を実施するための第１の形態の左右の床躯体が不等沈下した状態の説明図。
【図４】本発明を実施するための第１の形態の目地部が狭くなった動作説明図。
【図５】本発明を実施するための第１の形態の目地部が広くなった動作説明図。
【図６】本発明を実施するための第２の形態の平面図。
【図７】図６の７−７線に沿う断面図。
【図８】本発明を実施するための第２の形態の目地プレートを外した状態の説明図。
【図９】本発明を実施するための第３の形態の平面図。
【図１０】図９の１０−１０線に沿う断面図。
【図１１】本発明を実施するための第3の形態の目地プレートを外した状態の説明図。
【図１２】本発明を実施するための第４の形態の平面図。
【図１３】図１２の１３−１３線に沿う断面図。
【図１４】本発明を実施するための第4の形態の目地プレートを外した状態の説明図。
【図１５】本発明を実施するための第５の形態の平面図。
【図１６】図１５の１６−１６線に沿う断面図。
【図１７】本発明を実施するための第5の形態の目地プレートを外した状態の説明図。
【発明を実施するための形態】
【００１２】
以下、図面に示す本発明を実施するための形態により、本発明を詳細に説明する。
【００１３】
図１ないし図５に示す本発明を実施するための第１の形態において、１は目地部２を介して設けられた左右の床躯体３、３の目地部を覆う本発明の床用目地装置で、この床用目地装置１は前記左右の床躯体３、３の一方の床躯体３の目地部側床面に形成された反目地部側が傾斜面４で、かつ反目地部側より目地部側が順次低くなる傾斜面５に形成された目地プレートスライド支持凹部６と、前記左右の床躯体３、３の他方の床躯体３の目地部側床面に形成された目地プレート支持凹部７と、この目地プレート支持凹部７に後端部が支持され、先端部が前記目地プレートスライド支持凹部６に支持された目地プレート８と、この目地プレート８の後端部を、該目地プレート８の先端部が上方へ回動できるように取付けられた目地プレート取付け手段９とで構成されている。
【００１４】
前記目地プレート８は金属材で形成された浅皿状の目地プレート本体１０と、この目地プレート本体１０内に充填されたモルタルやコンクリート１１と、このモルタルやコンクリート１１の上面に敷設されたタイルやレンガ等の床化粧板１２と、前記目地プレート本体１０の先端部上面にヒンジ部材１３を介して先端部が上下方向に回動可能に取付けられたカバープレート１４とで構成されている。
【００１５】
前記目地プレート取付け手段９は前記目地プレート８の後端両側部寄りの部位の底面が開口するように形成された係止ピン挿入凹部１５、１５と、この係止ピン挿入凹部１５、１５に先端部が挿入できるように前記目地プレート支持凹部７に固定された係止ピン１６、１６とで構成されている。
【００１６】
上記構成の床用目地装置１は左右の床躯体３、３が図３に示すように不等沈下した場合、目地プレートスライド支持凹部６が傾斜面５に形成されているため、目地プレート８の先端部の底面だけが目地プレートスライド支持凹部６に支持された状態を保つので、従来のように目地プレートスライド支持凹部６の目地部側端部によって目地プレート８が持ち上げられ、ガタ付いたり、左右の床躯体３、３の上面と目地プレート８の上面との高さが異なり、危険になったりするのを効率よく阻止することができる。
【００１７】
また、地震によって目地部２が狭くなると、図４に示すように目地プレート８の先端部が傾斜面４に沿って一方の床躯体３の床面上へスライド移動して、その揺れ動きを吸収する。
【００１８】
さらに、地震によって目地部２が広くなると、図５に示すように目地プレート８の先端部が目地プレートスライド支持凹部６上を左右方向にスライド移動してその揺れ動きを吸収する。
【００１９】
[発明を実施するための異なる形態]
次に、図６ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図６ないし図８に示す本発明を実施するための第２の形態において、前記本発明を実施するための第１の形態と主に異なる点は、目地プレートスライド支持凹部６の底面に金属材製のスノコ１７を固定した点で、このように構成した床用目地装置１Ａにしても、前記本発明を実施するための第１の形態と同様な作用効果が得られる。
【００２１】
図９ないし図１１に示す本発明を実施するための第３の形態において、前記本発明を実施するための第１の形態と主に異なる点は、一方の床躯体３に底面が水平な目地プレートスライド支持凹部６Ａを形成するとともに、該目地プレートスライド支持凹部６Ａの底面に上面が傾斜面５の目地プレート支持金具１８を所定間隔で多数個固定した点で、このように構成した床用目地装置１Ｂにしても、前記本発明を実施するための第１の形態と同様な作用効果が得られる。
【００２２】
図１２ないし図１４に示す本発明を実施するための第４の形態において、前記本発明を実施するための第１の形態と主に異なる点は、他方の床躯体３の目地部側にも底面が傾斜面５の目地プレートスライド支持凹部６を形成し、左右の目地プレートスライド支持凹部６、６に目地プレート８Ａを支持させ、該目地プレート８Ａの中央部を、目地プレート８Ａが上方へ移動可能な両端部が左右の床躯体３、３の目地部側に枢支された中央維持機構１９で支持した点で、このような左右に目地プレートスライド支持凹部６、６を設けた床用目地装置１Ｃにしても、前記本発明を実施するための第１の形態と同様な作用効果が得られる。
【００２３】
図１５ないし図１７に示す本発明を実施するための第５の形態において、前記本発明を実施するための第４の形態と主に異なる点は、左右の目地プレートスライド支持凹部６、６の上面に金属材製のカバー部材２０、２０を固定した点で、このように構成した床用目地装置１Ｄにしても、前記本発明を実施するための第４の形態と同様な作用効果が得られる。
【産業上の利用可能性】
【００２４】
本発明は目地部を介して設けられた左右の床躯体間の目地部を覆う床用目地装置を製造する産業で利用される。
【符号の説明】
【００２５】
１、１Ａ、１Ｂ、１Ｃ、１Ｄ：床用目地装置、
２：目地部、                      ３：床躯体、
４：傾斜面、                      ５：傾斜面、  
６、６Ａ：目地プレートスライド支持凹部、
７：目地プレート支持凹部、  ８、８Ａ：目地プレート、
９：目地プレート取付け手段、    １０：目地プレート本体、
１１：モルタルやコンクリート、  １２：床化粧板、
１３：ヒンジ部材、              １４：カバープレート、
１５：係止ピン挿入凹部、        １６：係止ピン、
１７：スノコ、                  １８：目地プレート支持金具、
１９：中央維持機構、            ２０：カバー部材。
【図１】
2011017185.tif 000003
【図２】
2011017185.tif 000004
【図３】
2011017185.tif 000005
【図４】
2011017185.tif 000006
【図５】
2011017185.tif 000007
【図６】
2011017185.tif 000008
【図７】
2011017185.tif 000009
【図８】
2011017185.tif 000010
【図９】
2011017185.tif 000011
【図１０】
2011017185.tif 000012
【図１１】
2011017185.tif 000013
【図１２】
2011017185.tif 000014
【図１３】
2011017185.tif 000015
【図１４】
2011017185.tif 000016
【図１５】
2011017185.tif 000017
【図１６】
2011017185.tif 000018
【図１７】
2011017185.tif 000019